(57)【要約】  支持リング（１４）、内鍋（３０）、伝動アセンブリ（５０）および駆動部材（７０）を含む、調理機器（１００）であって、内鍋（３０）は支持リング（１４）に嵌合され、伝動アセンブリ（５０）は、駆動部材（７０）と内鍋（３０）との間に設けられ、且つ内鍋（３０）を支持リング（１４）に対して昇降するようにする。駆動部材（７０）は、伝動アセンブリ（５０）を駆動して動作するようにし、伝動アセンブリ（５０）が動作するとき、内鍋（３０）を支持リング（１４）に対して昇降するようにする。このように、内鍋（３０）を取り出す必要がある場合、駆動部材（７０）および伝動アセンブリ（５０）の駆動により、内鍋（３０）を上昇するようにし、それにより、内鍋（３０）が支持リング（１４）から分離されて、指で内鍋（３０）を手軽に掴むのに便利であり、滞ることなく、内鍋（３０）をスムーズに出し入れることができるため、内鍋（３０）の出し入れが便利になる。さらに、調理加工が必要である場合、内鍋（３０）を元に戻し、駆動部材（７０）および伝動アセンブリ（５０）は、内鍋（３０）を下降するようにして、内鍋（３０）が支持リング（１４）に支持されると、蓋を閉めて、調理加工が開始できる。【選択図】図１
2021535798.tif 000002
【特許請求の範囲】
【請求項１】
支持リング（１４）と、
前記支持リング（１４）に嵌合された内鍋（３０）と、
伝動アセンブリ（５０）および駆動部材（７０）と、を含み、
前記伝動アセンブリ（５０）は、前記駆動部材（７０）と前記内鍋（３０）との間に設けられ、且つ前記内鍋（３０）を前記支持リング（１４）に対して昇降するようにする、ことを特徴とする調理機器（１００）。
【請求項２】
前記伝動アセンブリ（５０）は、第１伝動部材（５２）および第２伝動部材（５４）を含み、前記第１伝動部材（５２）は、前記駆動部材（７０）に接続され、前記第２伝動部材（５４）は、前記第１伝動部材（５２）と前記内鍋（３０）との間に設けられ、前記第１伝動部材（５２）は、前記駆動部材（７０）の駆動で転動され、且つ前記第２伝動部材（５４）を前記支持リング（１４）に対して昇降するようにする、ことを特徴とする
請求項１に記載の調理機器（１００）。
【請求項３】
前記第１伝動部材（５２）および前記第２伝動部材（５４）は、いずれも前記内鍋（３０）の外部に外嵌され、前記第１伝動部材（５２）が前記支持リング（１４）の軸線周りに転動する場合、前記第２伝動部材（５４）を前記支持リング（１４）に対して回転および昇降するようにする、ことを特徴とする
請求項２に記載の調理機器（１００）。
【請求項４】
前記第１伝動部材（５２）および前記第２伝動部材（５４）は、前記内鍋（３０）の軸方向に沿って分布され、且つ前記第１伝動部材（５２）および第２伝動部材（５４）は、それぞれ、互いに対向し及び貼り合わせる第１傾斜面（５２１）および第２傾斜面（５４１）を有し、
前記第１傾斜面（５２１）および前記第２傾斜面（５４１）は、いずれも前記支持リング（１４）の周方向に沿って延び、且つ前記支持リング（１４）の軸線に対して傾斜し、前記第１伝動部材（５２）が転動する場合、前記第１傾斜面（５２１）と前記第２傾斜面（５４１）との連携により、前記第２伝動部材（５４）を前記第１傾斜面（５２１）に沿って摺動するようにする、ことを特徴とする
請求項３に記載の調理機器（１００）。
【請求項５】
リミットアセンブリをさらに含み、前記リミットアセンブリは、第１リミット部材（６１）と第２リミット部材（６３）を含み、前記第１リミット部材（６１）は、前記支持リング（１４）に設けられ、前記第２リミット部材（６３）は、前記第１伝動部材（５２）および／または前記第２伝動部材（５４）に設けられ且つ前記支持リング（１４）に対して移動し、前記第１リミット部材（６１）は、前記第２リミット部材（６３）の移動経路で前記第２リミット部材（６３）を阻む、ことを特徴とする
請求項３に記載の調理機器（１００）。
【請求項６】
前記第１リミット部材（６１）は、前記支持リング（１４）の周方向に沿って離間して設けられた第１正転リミット部材（６１２）および第１逆転リミット部材（６１４）を含み、前記第２リミット部材（６３）は、前記第１正転リミット部材（６１２）と前記第１逆転リミット部材（６１４）との間に転動可能に設けられる、ことを特徴とする
請求項５に記載の調理機器（１００）。
【請求項７】
前記内鍋（３０）は、径方向に突出するリム（３２）を有し、前記伝動アセンブリ（５０）の一端は、前記リム（３２）の一部の下部を支持し、前記伝動アセンブリ（５０）は、前記駆動部材（７０）の駆動で、前記内鍋（３０）を昇降するようにするとともに、前記リム（３２）を前記支持リング（１４）から離れるように、または前記支持リング（１４）に当接するようにする、ことを特徴とする
請求項２に記載の調理機器（１００）。
【請求項８】
前記支持リング（１４）は、互いに接続された上部リング体（１３）と内側スリーブ（１５）を有し、前記内側スリーブ（１５）は、前記上部リング体（１３）の内周縁に設けられ、且つ前記上部リング体（１３）の内周縁との間に隙間があり、
前記内側スリーブ（１５）は、前記上部リング体（１３）の軸方向に沿って延び、前記内鍋（３０）は、前記内側スリーブ（１５）の内部に嵌合され、前記伝動アセンブリ（５０）は、前記内側スリーブ（１５）の外部に外嵌され、前記伝動アセンブリ（５０）の一端は前記隙間を貫通して前記リム（３２）の一部に当接される、ことを特徴とする
請求項７に記載の調理機器（１００）。
【請求項９】
前記内側スリーブ（１５）の前記上部リング体（１３）から離れた一端は、径方向に沿って下部フランジ（１５２）が突設され、前記第１伝動部材（５２）は、前記内側スリーブ（１５）の外部に外嵌され且つ前記下部フランジ（１５２）に支持される、ことを特徴とする
請求項８に記載の調理機器（１００）。
【請求項１０】
ボールをさらに含み、前記ボールは、前記第１伝動部材（５２）の内側壁と前記内側スリーブ（１５）との間に設けられ、および／または
前記ボールは、前記下部フランジ（１５２）と前記第１伝動部材（５２）の底壁との間に設けられる、ことを特徴とする
請求項９に記載の調理機器（１００）。
【請求項１１】
前記駆動部材（７０）の出力端と前記第１伝動部材（５２）との間は、歯の噛み合いを介して伝動される、ことを特徴とする
請求項２に記載の調理機器（１００）。
【発明の詳細な説明】
【技術分野】
【０００１】
本願は、２０１８年１２月０３日に出願された、出願番号が２０１８１１４６５４６９．７であり、発明名称が「調理機器」である中国特許出願の優先権を主張し、その内容を全て参照により本願に組み込むものとする。
【０００２】
本願は、キッチン家電の技術分野に関し、特に調理機器に関する。
【背景技術】
【０００３】
炊飯器は、蒸し、茹で、シチュー、煮込み、煮つけなど、さまざまな調理を行うことができる、一般的な調理機器である。炊飯器は、食物を熟することができるだけでなく、保温もでき、清潔で衛生的に使用可能で、汚染がなく、時間も労力も節約できて、家事労働の現代化に不可欠な器具の１つである。
【０００４】
炊飯器は、一般的に本体、内鍋および蓋を含み、内鍋は本体内に設けられ、蓋は本体に対して開閉可能に設置される。ご飯を炊くとき、蓋を開けて内鍋を本体から取り出し、その後、内鍋に米を入れて洗い流した後、内鍋を本体に戻す。しかしながら、従来の内鍋は本体の支持リングに当接され、内鍋を取り出すとき、内鍋が支持リングに当接されているため、指で内鍋を掴んで出し入れしにくく、内鍋の出し入れが滞って、スムーズではない。
【発明の概要】
【発明が解決しようとする課題】
【０００５】
これに鑑みて、内鍋の出し入れが滞る問題に対して、内鍋の出し入れを容易にする調理機器を提供する必要がある。
【課題を解決するための手段】
【０００６】
調理機器であって、支持リングと、前記支持リングに嵌合された内鍋と、伝動アセンブリおよび駆動部材と、を含み、前記伝動アセンブリは、前記駆動部材と前記内鍋との間に設けられ、且つ前記内鍋を前記支持リングに対して昇降するようにする。
【０００７】
上記の調理機器において、駆動部材は伝動アセンブリを駆動して動作するようにし、伝動アセンブリが動作するとき、内鍋を支持リングに対して昇降するようにする。このように、内鍋を取り出す必要がある場合、駆動部材と伝動アセンブリは、内鍋を上昇するように駆動し、そのため、内鍋は支持リングから分離されて、指で内鍋を手軽に掴むのに便利であり、滞ることなくスムーズに内鍋を出し入れることができ、内鍋の出し入れが便利になる。さらに、調理加工が必要である場合、内鍋を元に戻し、駆動部材および伝動アセンブリは、内鍋を下降するようにして、内鍋が支持リングに支持されると、蓋を閉めて、調理加工が開始できる。
【０００８】
いくつかの実施例において、前記伝動アセンブリは、第１伝動部材および第２伝動部材を含み、前記第１伝動部材は、前記駆動部材に接続され、前記第２伝動部材は、前記第１伝動部材と前記内鍋との間に設けられ、前記第１伝動部材は、前記駆動部材の駆動で転動され、且つ前記第２伝動部材を前記支持リングに対して昇降するようにする。
【０００９】
いくつかの実施例において、前記第１伝動部材および前記第２伝動部材は、いずれも前記内鍋の外部に外嵌され、前記第１伝動部材が前記支持リングの軸線周りに転動する場合、前記第２伝動部材を前記支持リングに対して回転および昇降するようにする。
【００１０】
いくつかの実施例において、前記第１伝動部材および前記第２伝動部材は、前記内鍋の軸方向に沿って分布され、且つ前記第１伝動部材および和前記第２伝動部材は、それぞれ互いに対向し且つ貼り合わせる第１傾斜面および第２傾斜面を有し、
ここで、前記第１傾斜面および前記第２傾斜面は互いに接触しており、いずれも前記支持リングの周方向に対して延び、且つ前記支持リングの軸線に対して傾斜し、前記第１伝動部材が転動するとき、前記第１傾斜面と前記第２傾斜面との連携により、前記第２伝動部材を前記第１傾斜面に沿って摺動するようにする。
【００１１】
いくつかの実施例において、リミットアセンブリをさらに含み、前記リミットアセンブリは、第１リミット部材および第２リミット部材を含み、前記第１リミット部材は、前記支持リングに設けられ、前記第２リミット部材は、前記第１伝動部材および／または前記第２伝動部材に設けられ且つ前記支持リングに対して移動し、前記第１リミット部材は、前記第２リミット部材の移動経路で前記第２リミット部材を阻む。
【００１２】
いくつかの実施例において、前記第１リミット部材は、前記支持リングの周方向に沿って離間して設けられた第１正転リミット部材および第１逆転リミット部材を含み、前記第２リミット部材は、前記第１正転リミット部材と前記第１逆転リミット部材との間に転動可能に設けられる。
【００１３】
いくつかの実施例において、前記内鍋は、径方向に突出するリムを有し、前記伝動アセンブリの一端は、前記リムの一部の下部を支持し、前記伝動アセンブリは、前記駆動部材の駆動で、前記内鍋を昇降するようにするとともに、前記リムを前記支持リングから離れるように、または前記支持リングに当接するようにする。
【００１４】
いくつかの実施例において、前記支持リングは、互いに接続された上部リング体と内側スリーブを有し、前記内側スリーブは、前記上部リング体の内周縁に設けられ、且つ前記上部リング体の内周縁との間に隙間があり、
さらに、前記内側スリーブは、前記上部リング体の軸方向に沿って延び、前記内鍋は、前記内側スリーブの内部に嵌合され、前記伝動アセンブリは、前記内側スリーブの外部に外嵌され、前記伝動アセンブリの一端は、前記隙間を貫通して前記リムの一部に当接される。
【００１５】
いくつかの実施例において、前記内側スリーブの前記上部リング体から離れた一端には、径方向に沿って下部フランジが突設され、前記第１伝動部材は、前記内側スリーブの外部に外嵌され且つ前記下部フランジに支持される。
【００１６】
いくつかの実施例において、ボールをさらに含み、前記ボールが、前記第１伝動部材の内側壁と前記内側スリーブとの間に設けられ、および／または
前記ボールは、前記下部フランジと、前記第１伝動部材の底壁との間に設けられる。
【００１７】
いくつかの実施例において、前記駆動部材の出力端と前記第１伝動部材との間は、歯の噛み合いを介して伝動される。
【図面の簡単な説明】
【００１８】
以下、図面を参照して本願実施例を説明することにより、本願の上記した及び他の目的、特徴、利点は、さらに明確になる。
【図１】本願の一実施例における調理機器の例示的な分解図である。
【図２】図１に示された調理機器のある状態での例示的な構造図である。
【図３】図２に示された調理機器の断面図である。
【図４】図１に示された調理機器の別の状態での例示的な構造図である。
【図５】図４に示された調理機器の断面図である。
【発明を実施するための形態】
【００１９】
本願の理解を容易にするために、次に関連する図面を参照して本願をより全面的に説明する。本願の好ましい実施例が図面に示されている。しかしながら、本願は、さまざまな異なる形態で実現することができ、本明細書に記載されている実施例に限定されない。逆に、これらの実施例を提供する目的は、本願の開示した内容をより徹底かつ全面的に理解するようにすることである。
【００２０】
なお、ある要素が別の要素に「固定される」と記述される場合、それは別の要素に直接に配置されてもよく、中間要素が存在してもよい。ある要素が別の要素に「接続される」と見なされる場合、その要素は別の要素に直接に接続されてもよく、同時に中間要素が存在してもよい。
【００２１】
別途に定義されていない限り、本文で使用されているすべての技術用語および科学用語は、本願の技術分野に属する技術者が一般的に理解しているのと同じ意味を持つ。本願の明細書で使用されている用語は、具体的な実施例を説明することのみを目的とし、本願を限定することを意図するものではない。本文で使用される「および／または」という用語は、１つまたは複数のリストされた関連アイテムの任意の組み合わせ、およびあらゆる組み合わせを含む。
【００２２】
図１に示されたように、本願の一実施例において、鍋本体１０、内鍋３０および蓋（未図示）を含む、調理機器１００を提供する。内鍋３０は、鍋本体１０の内部に着脱可能に設けられ、蓋は、鍋本体１０に対して開閉可能に設けられる。内鍋３０を異なる位置に移動して食材を充填するために、使用する際に、蓋を開け、鍋本体１０の内部から内鍋３０を取り出すことができる。食材の充填が完了した後、内鍋３０を鍋本体１０の内部に再組み立てて調理をすることができる。
【００２３】
鍋本体１０は、ベース１２と、ベース１２に設けられた支持リング１４とを含み、ベース１２は、鍋本体１０の各部材を取り付けるためのものであり、支持リング１４は、内鍋３０を支持するためのものである。
【００２４】
図２〜図５に示されたように、調理機器１００は、さらに、伝動アセンブリ５０および駆動部材７０を含み、伝動アセンブリ５０は、駆動部材７０と内鍋３０との間に設けられ、且つ内鍋３０を支持リング１４に対して昇降するようにする。即ち、駆動部材７０は、伝動アセンブリ５０が動作するように駆動し、伝動アセンブリ５０が動作するとき、内鍋３０を支持リング１４に対して昇降するようにする。このように、内鍋３０を取り出す必要があるとき、内鍋３０は、駆動部材７０および伝動アセンブリ５０の駆動により上昇し、内鍋３０は、支持リング１４から分離されるので、指で内鍋３０を手軽に掴むのに便利であり、滞ることなく、内鍋３０をスムーズに出し入れることができて、内鍋３０の出し入れが便利になる。さらに、調理加工が必要である場合、内鍋３０を元に戻し、駆動部材７０および伝動アセンブリ５０は、内鍋３０を下降するようにして、支持リング１４に支持されると、蓋を閉めて、調理加工が開始できる。
【００２５】
伝動アセンブリ５０は、第１伝動部材５２および第２伝動部材５４を含み、第１伝動部材５２は、駆動部材７０に接続され、第２伝動部材５４は、第１伝動部材５２と内鍋３０との間に設けられ、第１伝動部材５２は、駆動部材７０の駆動で転動され、第２伝動部材５４を支持リング１４に対して昇降するようにすることで、内鍋３０を支持リング１４に対して昇降するようにする。即ち、第１伝動部材５２と第２伝動部材５４との連携により、第１伝動部材５２の回転運動を、第２伝動部材５４の昇降運動に変換して、内鍋３０を昇降するようにする。
【００２６】
さらに、第１伝動部材５２および第２伝動部材５４は、いずれも内鍋３０の外部に外嵌され、第１伝動部材５２は、支持リング１４の軸線周りに転動する場合、第２伝動部材５４を支持リング１４に対して回転および昇降するようにする。第１伝動部材５２および第２伝動部材５４を内鍋３０の外部に外嵌することにより、伝動アセンブリ５０の装着スペースを節約し、ベース１２の多くの内部スペースを占有する必要がない。また、第１伝動部材５２の転動により、第２伝動部材５４を回転および昇降するようにして、内鍋３０を支持リング１４に対して昇降するようにする。これにより、内鍋３０は支持リング１４から分離されて、内鍋３０を容易に出し入れできる目的を達成する。好ましくは、第１伝動部材５２および第２伝動部材５４はリング状に構成される。
【００２７】
具体的には、内鍋３０は、径方向に突出するリム３２を有し、伝動アセンブリ５０の一端は、リム３２の一部の下部を支持し、伝動アセンブリ５０は駆動部材７０の駆動で、内鍋３０を昇降するようにして、リム３２を支持リング１４から離れるように、または支持リング１４に当接するようにする。言い換えれば、この具体的な実施例において、内鍋３０の既存のリム３２構造を利用して、伝動アセンブリ５０の一端に支持されることにより、伝動アセンブリ５０はリム３２に昇降の外力を加えて、ひいては、内鍋３０の全体を昇降するようにする。また、伝動アセンブリ５０は、リム３２の一部のみに接触して支持し、リム３２の全体の領域を占めることはない。
【００２８】
伝動アセンブリ５０の駆動で内鍋３０が支持リング１４から離れた後、リム３２の一部のみが伝動アセンブリ５０と当接し、リム３２の残り部分は浮いている状態になるため、リム３２の浮いている部分に手指を入れて手軽く内鍋３０を出し入れでき、伝動アセンブリ５０とリム３２との当接は内鍋３０のスムーズな出し入れに影響を与えない。他のいくつかの実施例において、伝動アセンブリ５０は、リム３２の領域を占有することなく、内鍋３０の外壁に当接し、伝動アセンブリ５０と内鍋３０との当接位置については、ここで限定しない。
【００２９】
さらに、支持リング１４は、互いに接続された上部リング体１３と内側スリーブ１５を含み、内側スリーブ１５は、上部リング体１３の内周縁に設けられ、且つ上部リング体１３の内周縁との間には隙間がある。内側スリーブ１５は、上部リング体１３の軸方向に沿って延び、内鍋３０は、内側スリーブ１５の内部に嵌合され、内鍋３０は内側スリーブ１５によって収納されて固定される。伝動アセンブリ５０は、内側スリーブ１５の外部に外嵌され、伝動アセンブリ５０の一端は、隙間を貫通して内鍋３０のリム３２の一部に当接される。内側スリーブ１５によって伝動アセンブリ５０を取り付け、且つ伝動アセンブリ５０を隙間を貫通して内鍋３０に当接するようにして、伝動アセンブリ５０による昇降運動を内鍋３０に伝達する。
【００３０】
具体的には、内側スリーブ１５の上部リング体１３から離れた一端には、径方向に沿って下部フランジ１５２が突設され、第１伝動部材５２は、内側スリーブ１５の外部に外嵌され且つ下部フランジ１５２に支持される。これにより、下部フランジ１５２によって、第１伝動部材５２と、第１伝動部材５２と連携する第２伝動部材５４とを支持し、それにより、第１伝動部材５２と第２伝動部材５４を内側スリーブ１５の外部に確実に取り付ける。伝動アセンブリ５０を取り付ける場合、第１伝動部材５２と第２伝動部材５４は、上部リング体１３と内側スリーブ１５との間の隙間を順次に通過して、内側スリーブ１５に外嵌され、第１伝動部材５２の底部は内側スリーブ１５の下部フランジ１５２に支持される。
【００３１】
この具体的な実施例において、第１伝動部材５２および第２伝動部材５４は、内鍋３０の軸方向に沿って分布され、且つ第１伝動部材５２および第２伝動部材５４は、それぞれ、互いに対向し且つ貼り合わせる第１傾斜面５２１および第２傾斜面５４１を有する。ここで、第１傾斜面５２１および第２傾斜面５４１は、いずれも支持リング１４の周方向に沿って延び、且つ支持リング１４の軸線に対して傾斜する。第１伝動部材５２が転動する場合、第１傾斜面５２１と第２傾斜面５４１との連携により、第２伝動部材５４を第１傾斜面５２１に沿って摺動するようにする。このように、第２伝動部材５４が第１傾斜面５２１に沿って摺動すると、第１傾斜面１４の周方向に延びた方向に沿って、支持リング１４に対して回転することができ、さらに、第１傾斜面５２１が支持リング１４の軸線に対して傾斜する方向に沿って、支持リング１４に対して昇降することができる。
【００３２】
言い換えれば、第１伝動部材５２が転動する場合、第１傾斜面５２１を転動するようにすることができ、更に、第２傾斜面５４１を第１傾斜面５２１と相対的に摺動するように駆動して、第２伝動部材５４を第１傾斜面５２１に沿って摺動するようにする。また、第２傾斜面５４１が第１傾斜面５２１に沿って摺動する場合、第２伝動部材５４は、支持リング１４に接近および支持リング１４から離れる方向に昇降するとともに、支持リング１４の周方向に沿っても転動する。これは、第１傾斜面５２１と第２傾斜面５４１との連携により、第２伝動部材５４に回転運動および昇降運動を複合させることに相当する。
【００３３】
具体的には、駆動部材７０の駆動で、第１伝動部材５２が正転する場合、第２傾斜面５４１は第１傾斜面５２１に沿って上昇して、第２伝動部材５４および内鍋３０を上昇させる。駆動部材７０の駆動で、第１伝動部材５２が逆転する場合、第２傾斜面５４１は、第１傾斜面５２１に沿って下降して、第２伝動部材５４および内鍋３０を下降させる。第１伝動部材５２の正逆転により、内鍋３０の上昇と下降を制御する。
【００３４】
より具体的には、第１伝動部材５２は、第２伝動部材５４に対向して複数の第１傾斜面５２１を含み、第２伝動部材５４は、第１伝動部材５２に対向して複数の第２傾斜面５４１を含み、第２伝動部材５４に対向する第１伝動部材５２の面は鋸歯状であり、第１伝動部材５２に対向する第２伝動部材５４の面も、第１伝動部材５２の鋸歯面に噛み合う鋸歯面である。このように、２つの鋸歯面の噛み合い伝動により、第１伝動部材５２が下部フランジ１５２で転動すると、第２伝動部材５４を回転及び昇降するようにする。
【００３５】
好ましくは、第１伝動部材５２と駆動部材７０の出力端との間には、歯の噛み合いにより伝動し、駆動部材７０の出力端が転動する場合、歯の噛み合いによって、第１伝動部材５２を転動するようにし、歯の噛み合いによって、駆動部材７０の回転運動を第１伝動部材５２に伝達する。具体的には、駆動部材７０の出力端には歯車７２（図４に示す）が設けられ、第１伝動部材５２の外周には、上記の歯車７２と噛み合う歯が設けられ、駆動部材７０の出力端の歯車７２は、第１伝動部材５２の外周の歯と噛み合う。第１伝動部材５２自体の外周の歯を利用して、駆動部材７０の出力端と噛み合うことにより、構造が簡単になり、占有するスペースも小さくなる。具体的には、駆動部材７０は支持リング１４の上部リング体１３の底壁に設けられ、駆動部材７０の出力端は第１伝動部材５２の外周まで延び、それにより、運動伝動を実現し、構造全体の設計もコンパクトで合理的になる。
【００３６】
いくつかの実施例において、調理機器１００は、ボール（未図示）をさらに含み、ボールは、第１伝動部材５２の内側壁と内側スリーブ１５との間に設けられて、第１伝動部材５２が内側スリーブ１５の外部で内側スリーブ１５の軸方向に沿ってよりスムーズに転動できるようにする。あるいは、別のいくつかの実施例において、調理機器１００は、ボールをさらに含み、ボールは、第１伝動部材５２の底壁と内側スリーブ１５の下部フランジ１５２との間に設けられて、第１伝動部材５２が下部フランジ１５２に支持されている場合にボールに対して転動するようにすることにより、第１伝動部材５２と下部フランジ１５２との間の摩擦力を低減し、第１伝動部材５２の転動をよりスムーズにする。あるいは、別のいくつかの実施例において、調理機器１００は、ボールをさらに含み、ボールは、第１伝動部材５２の内側壁と内側スリーブ１５との間に設けられ、それにより、第１伝動部材５２が内側スリーブ１５の外部で内側スリーブ１５の軸方向に沿ってよりスムーズに転動できるようにする。そして、前記ボールは、第１伝動部材５２の底壁と内側スリーブ１５の下部フランジ１５２との間にも設けられ、それにより、第１伝動部材５２が下部フランジ１５２に支持されている場合、ボールに対して転動するので、第１伝動部材５２と下部フランジ１５２との間の摩擦力を低減し、第１伝動部材５２の転動をよりスムーズにする。
【００３７】
調理機器１００は、リミットアセンブリをさらに含み、リミットアセンブリは、第１リミット部材６１および第２リミット部材６３を含み、第１リミット部材６１は、支持リング１４に設けられ、第２リミット部材６３は、第１伝動部材５２および／または第２伝動部材５４に設けられて支持リング１４に対して移動し、第１リミット部材６１は第２リミット部材６３の転動経路で第２リミット部材６３を阻み、第１リミット部材６１と第２リミット部材６３との連携により、第１伝動部材５２および第２伝動部材５４の運動幅を制限し、内ポットの過度な昇降を防止する。具体的には、第１伝動部材５２および第２伝動部材５４が運動する場合、第２リミット部材６３も同期に移動し、第１伝動部材５２および第２伝動部材５４が限界位置まで運動した時、第１リミット部材６１を第２リミット部材６３に当接するようにし、第１伝動部材５２および第２伝動部材５４のそれ以上の運動を阻む。好ましくは、第２リミット部材６３は、第２伝動部材５４に設けられて、第２伝動部材５４と同期に回転および昇降する。
【００３８】
さらに、第１リミット部材６１は、支持リング１４の周方向に沿って離間して設けられた第１正転リミット部材６１２および第１逆転リミット部材６１４を含み、第２リミット部材６３は、第１正転リミット部材６１２と第１逆転リミット部材６１４との間に転動可能に設けられる。第１伝動部材５２が正転する場合、第２リミット部材６３を第１正転リミット部材６１２に接近する方向に転動するようにし、第２リミット部材６３が第１正転リミット部材６１２に当接される場合、第１伝動部材５２および第２伝動部材５４は転動を停止する。第１伝動部材５２が逆転する場合、第２リミット部材６３を第１逆転リミット部材６１４に接近する方向に転動するようにし、第２リミット部材６３が第１逆転リミット部材６１４に当接される場合、第１伝動部材５２および第２伝動部材５４は転動を停止する。このように、第１正転リミット部材６１２によって、第１伝動部材５２の正転する転動幅を制限し、第１逆転リミット部材６１４によって、第１伝動部材５２の逆転する転動幅を制限し、それにより、第２伝動部材５４による内鍋３０の昇降幅を制限する。理解できることは、別のいくつかの実施例において、第１正向リミット部材、第１反向リミット部材のうちの１つのみが設けられてもよく、ここで、限定しない。
【００３９】
具体的には、第１リミット部材６１は複数であり、複数の第１リミット部材６１は上部リング体１３の内周縁に沿って離間して分布され、第１リミット部材６１は上部リング体１３と下部フランジ１５２との間に接続され、内側スリーブ１５との間に隙間を有し、内側スリーブ１５と上部リング体１３との間の隙間を介して、第１伝動部材５２および第２伝動部材５４は、第１リミット部材６１と内側スリーブ１５との間の隙間に入り、第１リミット部材６１と内側スリーブ１５との間に取り付けられる。このように、第１リミット部材６１は、第２リミット部材６３と連携して運動を制限するために使用されるだけでなく、さらに、第１伝動部材５２および第２伝動部材５４が支持リング１４に確実に取り付けられるように、上部リング体１３と内側スリーブ１５とを接続するためにも使用される。より具体的には、複数の第１リミット部材６１のうち、隣接する２つの第１リミット部材６１は、それぞれ第１正転リミット部材６１２および第１逆転リミット部材６１４であり、第１伝動部材５２および第２伝動部材５４の転動幅は、第１正転リミット部材６１２と第１逆転リミット部材６１４との間の距離によって決定される。
【００４０】
上記の実施例の各技術的特徴は、任意に組み合わせることができ、説明の簡潔さのために、上記の実施例の各技術的特徴の可能な組み合わせのすべてについて説明していないが、これらの技術的特徴の組み合わせは、矛盾しない限り、いずれも本明細書に記載の範囲に含まれる。
【００４１】
上記の実施例は、本願のいくつかの実施形態を示したことに過ぎず、その説明が具体的で詳細であるが、これにより発明の範囲を限定すると理解してはいけない。当業者にとって、本願の思想から逸脱しない限り、いくつかの変形や改良を実施することができ、これらはすべて本願の保護範囲に含まれる。したがって、本願の保護範囲は、特許請求の範囲を基準とする。
【図１】
2021535798.tif 000003
【図２】
2021535798.tif 000004
【図３】
2021535798.tif 000005
【図４】
2021535798.tif 000006
【図５】
2021535798.tif 000007
【国際調査報告】
2021535798.tif 000008
2021535798.tif 000009
2021535798.tif 000010
2021535798.tif 000011
2021535798.tif 000012
2021535798.tif 000013